【事件の表示】
　特願２００３−　９０５８０「薬剤吐出装置」拒絶査定不服審判事件〔平成１６年１０月２１日出願公開、特開２００４−２９０５９２〕について、次のとおり審決する。
【結　論】
　本件審判の請求は、成り立たない。
【理　由】
Ｉ．手続の経緯
　本件は、平成１５年３月２８日に出願された特願２００３−９０５８０号について平成１９年９月１３日付けで拒絶査定がなされたところ、同査定を不服として平成１９年１０月１８日に、拒絶査定不服審判の請求がなされたものである。
　
II．本願の請求項１に係る発明
　本願の請求項１に係る発明は、拒絶査定時の平成１９年７月２０日付け手続補正書により補正された特許請求の範囲の請求項１に記載された事項により特定される、以下のとおりのものである。
「利用者に吸入口を介して吸入させるための薬剤を吐出する薬剤吐出装置であって、前記薬剤を所定の空間に供給すべく、熱又は圧電効果を利用したインクジェット方式により吐出させる吐出ヘッドを備えた薬剤用の収容器を収納する為の収納部を備え、該収納部に前記収容器が収納されたときの吐出口の位置と前記吸入口との間に設けられた気流制御手段を備え、前記気流制御手段は、前記吐出口と前記吸入口の間に設けられ、利用者の吸入によって開き、利用者の呼気によって閉じる第一の弁と、前記第一の弁よりも前記吸入口側に設けられ、利用者の呼気によって開き、利用者の吸入によって閉じる第二の弁とを有し、吸気状態では前記空間を経る吸気経路を確立し、呼気状態では前記空間を避ける呼気経路を確立する手段であり、更に、前記第一の弁の開閉状態を検出する検出器を有し、前記検出器により前記第一の弁の開状態を検知すると前記薬剤の吐出を開始し、前記検出器により前記第一の弁の閉状態を検知すると前記薬剤の吐出を停止することを特徴とする薬剤吐出装置。」（以下、これにより特定される発明を、「本願発明」という。）
III．　引用文献及びその記載
　原査定の拒絶の理由に引用された「国際公開第０１／５８５１４号」及び「特表平５−５０１５０５号公報」は、本願出願前に頒布された刊行物であり、その記載事項は、それぞれ以下の（１）、（２）のとおりである。
　
（１）国際公開第０１／５８５１４号の記載
　国際公開第０１／５８５１４号（以下、「引用例１」という。）には、「DRUG  DELIVERY  APPARATUS（薬剤投与装置（当審による仮訳。））」と表題される発明に関して、つぎのとおり記載されている（訳文として、引用例１に係る特許公表公報（特表２００３−５２２００３号公報）を援用する。）。
記載事項Ａ．
　「Referring to Figure 1, a housing 1a defines a holding chamber 1 which includes an inlet 2 through which a liquid or dry powder drug passes into the holding chamber from a source of droplets or particles, for example, a multi-dose inhaler (MDI) 3. The MDI 3 releases the liquid or powder drug in a cloud such that it loads the air with the drug. A sensor 4 is disposed between the MDI 3 and the holding chamber 1 which detects each actuation of the MDI 3. The sensor 4 also detects the rate at which air or other gas enters the holding chamber 1 via the inlet 2.
　The holding chamber 1 also includes an outlet 5 to which a mouthpiece 6 is attached.
A patient inhales from the mouthpiece 6 drawing air or gas laden with the drug from the holding chamber. This causes ambient air or gas to be drawn into the holding chamber 1 via the inlet 2. The rate of flow of air through the inlet 2 is detected by the sensor 4.
　A first valve 7a is disposed between the outlet 5 and the mouthpiece 6 through which drug-laden air passes when the patient inhales. A second valve 7b, is disposed in the mouthpiece 6 which permits exhaled air to be vented to atmosphere. A controller (described in more detail below in connection with Figure 4) operates to control both the first and second valves (7a, 7b). The first valve must be closed during exhalation so that exhaled air does not enter the holding chamber 1. A second sensor 8 is located in the mouthpiece in order to monitor the breathing pattern of the patient. The controller operates the first and second valves 7a, 7b on the basis of the monitored breathing pattern. When the patient begins to inhale, the second sensor 8 detects this and the controller operates the valves such that the first valve 7a is open and the second valve 7b is closed in order that the patient inhales drug-laden air from the holding chamber 1. Once the controller decides that no more of the drug-laden air is to be delivered to the patient, or the patient stops inhaling, the first valve 7a is closed and the second valve 7b is opened such that the patient finishes any remainder of the inhalation with ambient air which enters the mouthpiece via the second valve 7b, and exhales through the mouthpiece such that the exhaled air is vented to atmosphere via the second valve 7b and does not enter the holding chamber 1. The controller allows inhalation of drug-laden air from the holding chamber 1 in pulses, the duration of which are adjusted according to the monitored breathing pattern of the patient. The controller also analyses the breathing pattern of the patient to ensure that inhalation is suitable for delivering the pulse of drug-laden air. If it is too weak, or too unsteady, the pulse of drug-laden air will not be delivered, or will stop early.」（第６頁第２０行−第７頁第１７行）（図１を参照すると、筐体１ａは保持チャンバ１を画定し、保持チャンバ１は入口２を含んで、液体または乾燥粉末の薬剤は入口２を介して、たとえばマルチドーズ吸入器（ＭＤＩ）３などの飛沫または粒子の源から保持チャンバに入る。ＭＤＩ３は、空気が薬剤を含むように、液体状または粉末状の薬剤を雲として放出する。センサ４がＭＤＩ３と保持チャンバ１の間に配置され、ＭＤＩ３の各動作を検出する。また、センサ４は空気または他のガスが入口２を介して保持チャンバ１に入るレートも検出する。
　保持チャンバ１はまた出口５も含み、マウスピース６が出口５に接着される。患者はマウスピース６から吸入し、保持チャンバから薬剤を含んだ空気またはガスを吸い込む。これによって、外気またはガスが入口２を介して保持チャンバ１に吸い込まれる。入口２を介した空気の流入レートは、センサ４によって検出される。
　第１の弁７ａが出口５とマウスピース６の間に配置され、患者が吸入すると、第１の弁７ａを介して薬剤を含んだ空気が通過する。第２の弁７ｂはマウスピース６の中に配置され、呼気を大気中に排出する。コントローラ（図４に関して次にさらに詳細に説明する）は、第１の弁と第２の弁（７ａ、７ｂ）の両方を制御するように動作する。呼気が保持チャンバ１の中に入らないように、第１の弁は呼息の間は閉じていなければならない。第２のセンサ８がマウスピースの中にあり、患者の呼吸パターンを観察する。コントローラは、観察された呼吸パターンに基づいて、第１の弁７ａと第２の弁７ｂを動作させる。患者が吸入を開始すると、第２のセンサ８がこれを検出し、コントローラは第１の弁７ａが開き、第２の弁７ｂが閉じて、患者が保持チャンバ１から薬剤を含んだ空気を吸入するように弁を動作させる。コントローラが、患者に送達する薬剤を含んだ空気がもうないと決定するか、または患者が吸入を中止すると、第１の弁７ａは閉じ、第２の弁７ｂは開いて、患者は残りの吸入を終え、第２の弁７ｂを介してマウスピースに外気が入り、患者はマウスピースを介して息を吐き出して呼気は第２の弁７ｂを介して外気に排出され保持チャンバ１には入らない。コントローラは、保持チャンバ１からの薬剤を含んだ空気をパルスで吸入できるようにし、パルスの長さは観察された患者の呼吸パターンに従って調節される。また、コントローラは患者の呼吸パターンを分析して、吸入が、薬剤を含んだ空気のパルスを送達するのに適していることを確認する。吸入が弱すぎたり、不安定である場合、薬剤を含んだ空気のパルスは送達されないか、早く停止する。（段落【００２１】〜【００２３】を参照。））
　
　ここで、「患者はマウスピース６から吸入し、保持チャンバから薬剤を含んだ空気またはガスを吸い込む。」と記載されているから、薬剤投与装置は、患者にマウスピース６を介して吸入させるための薬剤を含んだ空気またはガスを投与するものである。
　また、「ＭＤＩ３は、空気が薬剤を含むように、液体状または粉末状の薬剤を雲として放出する。」と記載されているから、マルチドーズ吸入器（ＭＤＩ）３は、空気が薬剤を含むように、液体状の薬剤を雲として放出するものである。
　
　保持チャンバ１は、「液体または乾燥粉末の薬剤は入口２を介して、たとえばマルチドーズ吸入器（ＭＤＩ）３などの飛沫または粒子の源から保持チャンバに入る。」と記載される入口２と「保持チャンバ１はまた出口５も含み、マウスピース６が出口５に接着される。」と記載される出口５を有するものである。
　
　「第１の弁７ａが出口５とマウスピース６の間に配置され、」と記載されているから、第１の弁７ａは、マルチドーズ吸入器（ＭＤＩ）３などの飛沫または粒子の源から保持チャンバに入る入口２の位置とマウスピース６との間に設けられるものである。
　そして、この弁が気流を制御する手段であることは明らかである。
　
　「第１の弁７ａが出口５とマウスピース６の間に配置され、患者が吸入すると、第１の弁７ａを介して薬剤を含んだ空気が通過する。第２の弁７ｂはマウスピース６の中に配置され、呼気を大気中に排出する。コントローラ（図４に関して次にさらに詳細に説明する）は、第１の弁と第２の弁（７ａ、７ｂ）の両方を制御するように動作する。呼気が保持チャンバ１の中に入らないように、第１の弁は呼息の間は閉じていなければならない。・・・第１の弁７ａと第２の弁７ｂを動作させる。患者が吸入を開始すると、第２のセンサ８がこれを検出し、コントローラは第１の弁７ａが開き、第２の弁７ｂが閉じて、患者が保持チャンバ１から薬剤を含んだ空気を吸入するように弁を動作させる。」と記載されているから、第１の弁７ａは、患者の吸入に対応して開き、患者の呼気に対応して閉じるものである。
　さらに、第２の弁７ｂは、「マウスピース６の中」と記載されているから、第１の弁７ａよりもマウスピース側に設けられるものである。
　また、「患者が吸入を開始すると、第２のセンサ８がこれを検出し、コントローラは第１の弁７ａが開き、第２の弁７ｂが閉じ」、「・・患者はマウスピースを介して息を吐き出して呼気は第２の弁７ｂを介して外気に排出され保持チャンバ１には入らない。」と記載されているから、第１の弁７ａ及び第２の７ｂは、吸気状態では前記保持チャンバ１を経る吸気の経路を確立し、呼気状態では前記保持チャンバ１を避ける呼気の経路を確立するものである。
　
　これら記載事項及び図示内容を総合し、本願発明の記載ぶりに則って整理すると、引用例１には、次の発明（以下、「引用発明１」という。）が記載されている。
　
「患者にマウスピース６を介して吸入させるための薬剤を吐出する薬剤投与装置であって、前記薬剤を保持チャンバ１に供給すべく備えられたマルチドーズ吸入器（ＭＤＩ）３を備え、マルチドーズ吸入器（ＭＤＩ）３が薬剤を含む空気を保持チャンバ１に吐出する口である入口２と前記マウスピース６との間に設けられた気流を制御する弁を備え、前記弁は、前記入口２と前記マウスピース６との間に設けられ、患者の吸入に対応して開き、患者の呼気に対応して閉じる第１の弁７ａと、前記第１の弁７ａよりも前記マウスピース６側に設けられ、患者の呼気に対応して開き、患者の吸入に対応して閉じる第２の弁７ｂとを有し、吸気状態では前記保持チャンバ１を経る吸気経路を確立し、呼気状態では前記保持チャンバ１を避ける呼気経路を確立する手段である薬剤投与装置。」
　
（２）特表平５−５０１５０５号公報の記載
　特表平５−５０１５０５号公報（以下、「引用例２」という。）には、図面と共に次の事項が記載されている。
　
記載事項Ｂ．
　「解凝集／エアロゾル化手段は患者の吸入に応答して開始される。これは、患者に吸入と薬剤放出機構の開始を同期させることを回避するためである。空気流の検出は室又は患者の入口内に位置する可能羽根の手段により便利に達成することができる（羽根の動きが放出機構を開始させる）が、現われる空気流を検出することができる任意の適当な流れ検知器を用いることができる。羽根はホームポジションにもどすためにバネで押されることができる。この様な羽根はまた、患者が装置を通して呼気することを回避し、そして／又は呼気された空気が貯蔵された薬剤に達するのを回避するように構成することができ、これにより湿気の侵入及び凝集に伴うあらゆる問題点が回避される。
　装置を通って流れる出現する空気流の検出に応答してエアロゾル化／解凝集機構を活性化する制御系が含まれる。この制御系は流れ検知器とエアロゾル化手段との間の機械的関連であることができ、その選択は用いられる流れ検知器のタイプ及びエアロゾル化／解凝集機構に依存する。例えば、検出のための可動羽根を有する装置においては、その位置の変化がマイクロスイッチ又はリードスイッチを関し、これにより、例えばプロペラを回転させる電気モーター又はソレノイドブザーに動力を与える電池を含む回路を完成する。あるいは、羽根の位置の変更が、スプリングにより押されている打ち当てハンマーがキャリヤー又は輸送部材を打つのを抑制している単純な留め具を開放することができる。」（第８頁上段左欄第２５行−同頁同段右欄第２３行）
　　
記載事項Ｃ．
　「図１に関し、破壊可能なカプセルに詰められた粉末薬剤と共に使用するための吸入装置（１）は、相互連絡区画室（５）及び（７）を規定する囲い（３）、カプセル受理容器（９）及びエアロゾル化室（１１）を有する。・・・装置が使用されない時、マイクロスイッチ（２１）は開いており、前記の回路は不完全であり、それにより振動子の開始が回避される。
　エアロゾル化室（１１）は吸い口（２５）を備えた患者の入口（２３）と連絡する・・・羽根（３１）は（３３）に対してピボットで止められており、そして装置を通しての患者の吸入により空気流が生ずるとき場所を変えることができる。羽根（３１）の動きが羽根部材（３５）とマイクロスイッチ（２）との間の相互作用を生じさせ、スイッチ（２１）を一時的に閉め、これによって前記の回路を完成し、そして振動子（１７）を開始させる。・・・羽根は、患者の空気流の停止の後ホーム位置にもどってマイクロスイッチ（２１）を再び開きそしてそれによって回路を中断するために、スプリングで押されている。
・・・振動子（１７）のプランジャー棒（４１）にカプセルが接近するように容器（９）は適切に構成される。振動子の活性化後のカプセルに対するプランジャー棒の振動がカプセルからの呼吸可能なサイズの薬剤粒子の解凝集及び放出を生じさせ、その後これらは生ずる空気流に同伴される。羽根（３１）は、進行方向にのみ動くことができることにより、空気の単一方向流を外部雰囲気から口（２７）を通して患者の入口（４）に流れることを保証する。患者の吸入の際の逆方向の動きは止め器（４４）により防止される。」（第９頁上段左欄第５行−同頁同段右欄第１９行）
　
記載事項Ｄ．
　「装置を通る空気流がヘント（６７）を通って患者の入口（２３）に生ずる。図１に記載したような羽根（３１）の動きが部材（３５）にリードスイッチ（６５）を閉じさせ、制御機構（１９）が選択的にソレノイド（６１）を活性化し、これによりハンマー（６３）がキャリヤーの暴露される部位に当たる。キャリヤー（５７）へのハンマーの衝撃が呼吸可能なサイズの薬剤粒子をエアロゾル化室（１１）中に放出し、ここでそれらは患者が吸気する際に空気流中に同伴される。」（第９頁下段左欄第２５行−同頁同段右欄第８行）
　
　Ｆｉｇ．１の記載から、エアゾル化室（１１）と患者の入口（２３）との間の位置に羽根（３１）が設けられている構造が窺える。
　
　記載事項Ｂ．からみて、引用例２には、患者が吸入するための吸入装置が記載されている。
　そして、上記吸入装置は、エアゾル化室（１１）を有しており（記載事項Ｃ．Ｄ．参照）、エアゾル化室（１１）は、一方が吸い口（２５）を備えた患者の入口（２３）と連絡し、他方が薬剤の放出を生じさせるカプセル受理容器（９）と連絡している（記載事項Ｃ．参照）。
　
　さらに、「羽根（３１）は・・・装置を通しての患者の吸入により空気流が生ずるとき場所を変えることができる。羽根（３１）の動きが羽根部材（３５）とマイクロスイッチ（２）との間の相互作用を生じさせ、スイッチ（２１）を一時的に閉め、これによって前記の回路を完成し、そして振動子（１７）を開始させる。」（記載事項Ｃ．）、「図１に記載したような羽根（３１）の動きが部材（３５）にリードスイッチ（６５）を閉じさせ、制御機構（１９）が選択的にソレノイド（６１）を活性化し、これによりハンマー（６３）がキャリヤーの暴露される部位に当たる。キャリヤー（５７）へのハンマーの衝撃が呼吸可能なサイズの薬剤粒子をエアロゾル化室（１１）中に放出し、ここでそれらは患者が吸気する際に空気流中に同伴される。」（記載事項Ｄ．）、及び、「空気流の検出は室又は患者の入口内に位置する可能羽根の手段により便利に達成することができる（羽根の動きが放出機構を開始させる）が、現われる空気流を検出することができる任意の適当な流れ検知器を用いることができる。羽根はホームポジションにもどすためにバネで押されることができる。この様な羽根はまた、患者が装置を通して呼気することを回避し、そして／又は呼気された空気が貯蔵された薬剤に達するのを回避するように構成することができ、これにより湿気の侵入及び凝集に伴うあらゆる問題点が回避される。」（記載事項Ｂ．）との記載を併せてみて、引用例２には、マイクロスイッチ（２）が羽根（３１）の開閉状態を検出するマイクロスイッチ（２）であること、マイクロスイッチ（２）により羽根（３１）の開状態を検知すると薬剤粒子をエアロゾル化室（１１）中に放出を開始し、マイクロスイッチ（２）により羽根（３１）の閉状態を検知すると前記薬剤の放出を停止するものであること、羽根（３１）の作動は、患者の吸入による空気の流れによって開き、エアロゾル化室（１１）を通る空気の流れを確立し、患者の呼気が貯蔵された薬剤に達するのを回避するように、呼気により閉じること、が記載されている。
　そして、この羽根（３１）は気流を制御する手段であることも記載されている。
　
　これら記載事項及び図示内容を総合すると、引用例２には、次の発明（以下、「引用発明２」という。）が記載されている。
　
「患者に吸い口（２５）を介して吸入させるための吸入装置であって、カプセル受理容器（９）を備え、カプセル受理容器（９）からエアゾル化室（１１）に薬剤が放出されるものであり、エアゾル化室（１１）と吸い口（２５）を備えた患者の入口（２３）との間に羽根（３１）を備え、前記羽根（３１）は、患者の吸入によって開き、吸気状態では前記エアゾル化室（１１）を経る吸気の経路を確立し、呼気状態では前記エアゾル化室（１１）に呼気が入ることを避けるように閉じる手段であり、更に、前記羽根（３１）の開閉状態を検出するマイクロスイッチ（２）を有し、前記マイクロスイッチ（２）により前記羽根（３１）の開状態を検知すると前記薬剤の放出を開始し、前記マイクロスイッチ（２）により前記羽根（３１）の閉状態を検知すると前記薬剤の放出を停止する吸入装置。」
　
IV．対比
　本願発明と引用発明１とを対比すると、引用発明１の「患者」は、その文言の意味から本願発明の「利用者」に相当し、引用発明１の「マウスピース６」は、患者がそれを介して吸入するのであるから、本願発明の「吸入口」に相当している。
　また、引用発明１の「薬剤投与装置」は、患者に吸入させる薬剤を吐出する範囲においては、本願発明の「薬剤吐出装置」に相当するものである。
　そして、引用発明１の「保持チャンバ１」は、配置及び薬剤を含む空気のに係る機能からみて本願発明の「空間」に相当し、同様に、「入口２」は「吐出口」に相当しており、引用発明の「第１の弁７ａ」及び「第２の弁７ｂ」は、その配置関係及び吸気状態では吸気経路を確立し、呼気状態では前記保持チャンバ１を避ける呼気経路を確立する機能を有する点からは、それぞれ本願発明の「第一の弁」及び「第二の弁」にそれぞれ相当している。そして、その開閉について、引用発明１の「第１，第２の弁」は、患者の吸入及び呼気に対応して開閉し、一方、本願発明の「第一、第二の弁」は利用者の吸入及び呼気によって開閉するものであるから、引用発明１の「第１，第２の弁」及び本願発明の「第一、第二の弁」は、ともにその開閉が吸入及び呼気に対応している点で共通している。
 さらに、引用発明１の「マルチドーズ吸入器（ＭＤＩ）３」と、本願発明の「吐出ヘッドを備えた薬剤用の収容器」とは、ともに「薬剤を含んだ空気を作る手段」である点では共通している。
　
　そこで、本願発明の用語を用いて表現すると、両発明は次の点で一致する。
（一致点）
「利用者に吸入口を介して吸入させるための薬剤を吐出する薬剤吐出装置であって、前記薬剤を所定の空間に供給すべく備えられた薬剤を含んだ空気を作る手段を備え、薬剤を含んだ空気を作る手段の吐出口と前記吸入口との間に設けられた気流制御手段を備え、前記気流制御手段は、前記吐出口と前記吸入口との間に設けられ、利用者の吸入に対応して開き、利用者の呼気に対応して閉じる第一の弁と、前記第一の弁よりも前記吸入口側に設けられ、利用者の呼気に対応して開き、利用者の吸入に対応して閉じる第二の弁とを有し、吸気状態では前記空間を経る吸気経路を確立し、呼気状態では前記空間を避ける呼気経路を確立する手段である薬剤吐出装置。」
　
　そして、以下の相違点１，２の点で相違している。
　
相違点１
　本願発明の薬剤を含んだ空気を作る手段は、熱又は圧電効果を利用したインクジェット方式により吐出させる吐出ヘッドを備えた薬剤用の収容器を収納する為の収納部を備え、該収納部に前記収容器が収納されるものであるのに対し、引用発明のそれは、マルチドーズ吸入器（ＭＤＩ）である点。
　
相違点２
　本願発明は第一の弁、第二の弁の開閉は利用者の呼吸によってなされるものであり、第一の弁の開閉状態を検出する検出器を有し、前記検出器により前記第一の弁の開状態を検知すると前記薬剤の吐出を開始し、前記検出器により前記第一の弁の閉状態を検知すると前記薬剤の吐出を停止するに対し、引用発明は第一の弁（第１の弁７ａ）、第二の弁（第２の弁７ｂ）の開閉は利用者（患者）の呼吸に対応してなされるものであって、呼吸によってなされるものでなく、また、第一の弁（第１の弁７ａ）の閉状態を検知する検出器を有するものではない点。（（　）内に対応する引用例１記載の用語を記載した。）
　
Ｖ．相違点の判断
　以下、上記各相違点について検討する。
　
（１）相違点１について
　薬剤吐出装置において薬剤を含んだ空気を作る手段として、熱又は圧電効果を利用したインクジェット方式により吐出させる吐出ヘッドを備えた薬剤用の収容器を収納する為の収納部を備え、該収納部に前記収容器が収納されるものは、原査定が周知技術として引用した特表平８−５１１９６６号公報に、感熱バブルジェット、圧電装置を利用したインクジェット方式により吐出させる小滴排出器１４を備えた有効物質容器１０を収納する保護中空円筒状カートリッジ２１を備え、保護中空円筒状カートリッジ２１に有効物質容器１０を収納して、利用者が吸引する空気の流れに対応して、小滴排出器１４のオリフィス１５からマウスピース５への空気の流れに小滴を吐出することが記載されるように、従来周知の技術である。
　したがって、引用発明１の薬剤を含んだ空気を作る手段として、周知のインクジェット方式による技術を採用して、相違点１に係る本願発明の発明特定事項のようにすることは当業者が容易に想到し得たことである。
　
（２）相違点２について
　引用発明２の吸入装置は、引用発明１の薬剤投与装置とその技術分野を同じくし、本願発明の薬剤吐出装置に相当している。
　また、引用発明２の羽根（３１）は、吸気状態では前記エアゾル化室（１１）を経る吸気の経路を確立し、呼気状態では前記エアゾル化室（１１）に呼気が入ることを避けるものであり、このエアゾル化室（１１）は、本願発明の空間に相当するものであり、羽根（３１）は吸気の経路を確立し、本願発明と同様に空間に呼気が入ることを避ける点では、引用発明１と同様に本願発明の第一の弁の機能を果たすものである。さらに、その配置も本願発明の第一の弁及び引用発明１の第１の弁と差異はなく、その開閉は、患者の吸入によって開き、安定した閉鎖のためにバネを有するとしても、呼気により閉じるものである。
　そして、引用発明２は、このような羽根（３１）の開閉状態を検出するマイクロスイッチ（２）を有し、前記マイクロスイッチ（２）により前記羽根（３１）の開状態を検知すると前記薬剤の放出を開始し、前記マイクロスイッチ（２）により前記羽根（３１）の閉状態を検知すると前記薬剤の放出を停止するものであるから、引用発明２のマイクロスイッチ（２）は、その検知対象及び検知することによる薬剤の放出に係る作用の点において本願発明の「検出器」に相当している。
　してみると、引用発明１に、引用発明２を適用して、相違点２に係る本願補正発明の発明特定事項のようにすることは当業者が容易に想到し得たことである。
　
　そして、本願発明の効果も、引用発明１、２及び周知技術から当業者が予測し得た効果以上の格別の効果を奏するものとはいえない。
　
　したがって、本願発明は、引用発明１，２及び周知技術に基いて、当業者が容易に発明をすることができたものであるので、特許法第２９条第２項の規定により、特許を受けることができない。
　
VI．むすび
　以上のとおり、本願は原査定の理由により拒絶されるべきものである。
　よって、結論のとおり審決する。